(57)【要約】ガンマ電圧の補正により残像を除去することができる液晶表示装置のガンマ電圧生成部。ガンマ電圧生成部は、中間階調でのキックバック電圧の分だけ共通電圧を調整し、中間階調のガンマ電圧を除いたガンマ電圧を調整する。中間階調のガンマ電圧を除いた他のガンマ電圧の調整は、中間階調のキックバック電圧と中間階調を除いた他の階調のうちの一つに対するキックバック電圧との差が、中間階調のガンマ電圧を示す二つの反転されたガンマ電圧の合計と選択された階調に対応する２つの反転されたガンマ電圧の合計との差の半分になるようにする。
2004530171.tif 000002
【特許請求の範囲】
【請求項１】
印刷回路基板モジュールから供給されるガンマ電圧を利用してソースドライバーが生成した階調電圧により画像を表示する液晶表示装置であって、
使用者が所定の方法で現在表示されている画像に対する所定のキックバック電圧を入力すると、中間階調でのキックバック電圧の分だけ共通電圧を調節するための共通電圧制御信号を生成し、中間階調を除いた階調のガンマ電圧を順番なく選択して、これに対応するガンマ電圧を調整するガンマ電圧生成部、そして
前記共通電圧制御信号に基づいて中間階調でのキックバック電圧の分だけ共通電圧を調整して液晶表示装置パネルに出力する共通電圧生成部を含む、液晶表示装置。
【請求項２】
前記ガンマ電圧生成部は、
【数１】
2004530171.tif 000011
（Ｖｋｃは中間階調でのキックバック電圧、Ｖｋｔは選択された階調でのキックバック電圧、ＶＧＭＡＵＰ（Ｃ）とＶＧＭＡＤＮ（Ｃ）とは中間階調での反転されたガンマ電圧、ＶＧＭＡＵＰ（ｔ）とＶＧＭＡＤＮ（ｔ）とは選択された階調での反転されたガンマ電圧である）を満たす、請求項１に記載の液晶表示装置。
【請求項３】
ガンマ電圧生成部から供給されるガンマ電圧を利用してソースドライバーが生成した階調電圧により画像を表示する液晶表示装置の駆動方法であって、（ａ）使用者が所定の方法で現在表示されている画像に対する所定のキックバック電圧を入力すると、中間階調でのキックバック電圧の分だけ共通電圧を調整するための共通電圧制御信号を生成する段階、そして（ｂ）中間階調を除いた他の階調のガンマ電圧を順番なく選択して調整する段階を含む、液晶表示装置の駆動方法。
【請求項４】
前記（ｂ）段階でのガンマ電圧調整は、
【数２】
2004530171.tif 000012
（Ｖｋｃは中間階調のキックバック電圧、Ｖｋｔは選択された階調のキックバック電圧、ＶＧＭＡＵＰ（Ｃ）とＶＧＭＡＤＮ（Ｃ）とは中間階調で反転されたガンマ電圧、ＶＧＭＡＵＰ（ｔ）とＶＧＭＡＤＮ（ｔ）とは選択された階調で反転されたガンマ電圧である）を満たす、請求項３に記載の液晶表示装置の駆動方法。
【発明の詳細な説明】
【技術分野】
【０００１】
本発明は液晶表示装置に関し、詳しくは、ガンマ電圧の補正を通じて残像を除去することができる液晶表示装置のガンマ電圧生成部に関する。
【背景技術】
【０００２】
一般に、液晶表示装置は、薄膜トランジスタ（ＴＦＴ）をスイッチング素子として用いてアナログ階調電圧を画素に印加することによりディスプレイを実現している。この時、階調電圧の数は、ソースドライバーにあるデジタルアナログ変換器（ＤＡＣ:ｄｉｇｉｔａｌ  ａｎａｌｏｇ  ｃｏｎｖｅｒｔｅｒ）の種類によって６４または２５６個などに制限される。ＤＡＣは、外部からの６ビットまたは８ビットのＲ、Ｇ、Ｂのデジタルデータを選択的にスイッチングすることによって、６４個または２５６個の階調電圧を生成し、液晶表示板組立体のデータラインを通じて画素に供給する。
【０００３】
図１には、液晶表示板組立体を構成する１つの画素に対する一般的な等価回路図が示されており、図２には、液晶表示板組立体を構成する画素を駆動するためのゲート電圧、データ電圧、及び画素電圧に対する一般的な波形図が示されている。
【０００４】
前記ＤＡＣで発生されて液晶表示板組立体上のデータラインに供給される階調電圧は、図１と図２とでデータ電圧Ｖｄａｔａとして表示されている。このデータ電圧は、ゲート電圧ＶｇがＨｉｇｈ状態ＶｇＨとなってターンオンされたＴＦＴを通過して画素電圧Ｖｐとなる。液晶キャパシタＣｌｃに印加された画素電圧Ｖｐと共通電圧Ｖｃｏｍとの差は、光の透過率を決定する。共通電圧Ｖｃｏｍは固定された値を有するか、２つの固定された値の間でスイングするため、画素電圧Ｖｐが光透過率を実際に決定する。
【０００５】
ＴＦＴのゲート電圧ＶｇがＨｉｇｈ状態ＶｇＨである場合、画素電圧Ｖｐはデータ電圧Ｖｄａｔａに到達する。ＴＦＴのゲート電圧がＬｏｗ状態ＶｇＬに変わる瞬間、寄生キャパシタＣｇ、Ｃｇｄによって画素電圧Ｖｐがキックバック電圧Ｖｋの分だけ減少する。
【０００６】
この時のキックバック電圧Ｖｋは、
【０００７】
【数１】
2004530171.tif 000003
（Ｃｌｃｏｎは画素の充電時に充電された液晶キャパシタの容量、Ｃｌｃｏｆｆは完全に放電された液晶キャパシタの容量、ＣｇはＴＦＴのチャンネルとゲートとの間の寄生容量、ＣｇｄはＴＦＴのゲートとドレーンとの間の寄生容量である）となる。
【０００８】
前記式から分かるように、キックバック電圧Ｖｋは画素電圧Ｖｐそのものだけでなく、図４に示したように、画素電圧Ｖｐと共通電圧Ｖｃｏｍとの間の電圧差によって大きく変わるが、これは液晶キャパシタＣｌｃの両端に印加された電圧によって液晶キャパシタＣｌｃの容量が変わるためである。このような現象は液晶の誘電率異方性に因るものである。図３は、液晶キャパシタＣｌｃにバイアスされる電圧の大きさによって大きくなる誘電定数を示している。したがって、階調電圧を利用してキックバック電圧Ｖｋを補償することは容易ではない。
【０００９】
キックバック電圧Ｖｋによる画素電圧Ｖｐの歪曲を補償するために、共通電圧Ｖｃｏｍの調整を通じて中間階調（画素電圧Ｖｐが１．８Ｖ程度）を補償する方法が使用される。この場合には、ホワイト階調とブラック階調とが完全に補償されない。しかし、ブラック階調とホワイト階調とを含む映像が長時間表示され、これでキックバック電圧Ｖｋと中間階調電圧との差の分だけのＤＣバイアス電圧が長時間印加されると、イメージスティッキングという不良が発生する。
【発明の開示】
【発明が解決しようとする課題】
【００１０】
本発明は、このような従来の技術の問題を解決するためのものである。本発明の技術的課題は、キックバック電圧による残留ＤＣバイアスを除去し、残像を最少化することができる液晶表示装置を提供することにある。
【課題を解決するための手段】
【００１１】
このような技術的課題を達成するために、本発明は、印刷回路基板モジュールから供給されるガンマ電圧を利用してソースドライバーが生成した階調電圧により画像を表示する液晶表示装置を提供する。前記液晶表示装置は、使用者が所定の方法で現在表示されている画像に対する所定のキックバック電圧を入力すると、中間階調でのキックバック電圧の分だけ共通電圧を調節するための共通電圧制御信号を生成し、中間階調を除いた階調のガンマ電圧を順番なく選択して、これに対応するガンマ電圧を調整するガンマ電圧生成部、そして前記共通電圧制御信号に基づいて中間階調でのキックバック電圧の分だけ共通電圧を調整して液晶表示装置パネルに出力する共通電圧生成部を含む。前記ガンマ電圧生成部は、
【００１２】
【数２】
2004530171.tif 000004
（Ｖｋｃは中間階調でのキックバック電圧、Ｖｋｔは選択された階調でのキックバック電圧、ＶＧＭＡＵＰ（Ｃ）とＶＧＭＡＤＮ（Ｃ）とは中間階調での反転されたガンマ電圧、ＶＧＭＡＵＰ（ｔ）とＶＧＭＡＤＮ（ｔ）とは選択された階調での反転されたガンマ電圧である）を満たす。
【００１３】
これにより、使用者が所定の方法で現在表示されている画像に対する所定のキックバック電圧を入力すると、前記ガンマ電圧生成部が、中間階調でのキックバック電圧の分だけ共通電圧を調整し、中間階調を除いた他の階調での歪曲された画素電圧を調整するために、中間階調のガンマ電圧を除いた他のガンマ電圧を調整する。ここで、中間階調のガンマ電圧を除いた他のガンマ電圧の変更は、中間階調のキックバック電圧と中間階調を除いた他の階調のうちの１つに対するキックバック電圧との差が、中間階調のガンマ電圧を示す２つの反転されたガンマ電圧の合計と選択された階調に対応する２つの反転されたガンマ電圧の合計との差の半分になるようにする。これで、表示される映像の残像を最少化することができる。
【００１４】
このような技術的課題を解決するために、ガンマ電圧生成部から供給されるガンマ電圧を利用してソースドライバーが生成した階調電圧により画像を表示する液晶表示装置の駆動方法は、（ａ）使用者が所定の方法で現在表示されている画像に対する所定のキックバック電圧を入力すると、中間階調でのキックバック電圧の分だけ共通電圧を調整するための共通電圧制御信号を生成する段階、そして（ｂ）中間階調を除いた他の階調のガンマ電圧を順番なく選択して調整する段階を含む。
【００１５】
前記（ｂ）段階でのガンマ電圧調整は、
【００１６】
【数３】
2004530171.tif 000005
（Ｖｋｃは中間階調のキックバック電圧、Ｖｋｔは選択された階調のキックバック電圧、ＶＧＭＡＵＰ（Ｃ）とＶＧＭＡＤＮ（Ｃ）とは中間階調で反転されたガンマ電圧、ＶＧＭＡＵＰ（ｔ）とＶＧＭＡＤＮ（ｔ）とは選択された階調で反転されたガンマ電圧である）を満たす。
【発明の効果】
【００１７】
本発明の実施例による液晶表示装置では、キックバック電圧による残留ＤＣバイアスを除去し、残像を最少化した映像表示を実現することができる。
【発明を実施するための最良の形態】
【００１８】
本発明の好ましい実施例を示す添付図面を参照して、本発明について詳細に説明する。しかし、本発明は多様な形態で実現することができ、ここで説明する実施例に限定されない。明細書全体を通じて同一な部分ついては同一な図面符号を付けた。
【００１９】
以下、本発明の実施例について、図面を参照して説明する。
【００２０】
図５は、本発明の一実施例によるガンマ電圧補正装置を示したブロック図である。図５に示すように、本発明の１実施例によるガンマ電圧補正装置は、キックバック電圧入力部１００、ガンマ電圧生成部２００、及び共通電圧生成部３００から構成される。
【００２１】
キックバック電圧入力部１００は、液晶表示板組立体によって発生するキックバック電圧Ｖｋをトリガーするために、ＰＣＢモジュールや液晶表示装置ケースなどに設けられたボタンである。これとは異なって、アプリケーションプログラムを使用することによって、以下に説明する制御機がキックバック電圧Ｖｋを認識することができるようにすることもできる。キックバック電圧入力部１００から入力されるキックバック電圧は、０、１、２、．．．の階調及び最大階調の各々に対するキックバック電圧Ｖｋ０、Ｖｋ１、Ｖｋ２、．．．及びＶｋｍで示した。
【００２２】
ガンマ電圧生成部２００は、制御機２１０とガンマ電圧生成器２２０とからなる。
【００２３】
制御機２１０は、中間階調でのキックバック電圧Ｖｋの分だけ共通電圧値を調整するための共通電圧制御信号を生成し、ガンマ電圧を調整するためのガンマ電圧制御信号を生成し、中間階調を除いた全ての階調での歪曲された画素電圧を調整するために、中間階調を除いた全ての階調のガンマ電圧を順番なく選択して、以下の式を満足するようにする。
【００２４】
【数４】
2004530171.tif 000006
（Ｖｋｃは中間階調でのキックバック電圧、Ｖｋｔは選択された階調での選択されたキックバック電圧、ＶＧＭＡＵＰ（Ｃ）とＶＧＭＡＤＮ（Ｃ）とは中間階調で反転されたガンマ電圧、ＶＧＭＡＵＰ（ｔ）とＶＧＭＡＤＮ（ｔ）とは選択された階調でのガンマ電圧である）
ガンマ電圧生成器２２０は、前記制御機２１０からのガンマ電圧制御信号に基づいてガンマ電圧を生成する。図６のように、ガンマ電圧は抵抗列を使用して分圧することにより生成される。ガンマ電圧生成器２２０によって生成されたガンマ電圧は、同一数のガンマ電圧からなる２つのグループのガンマ電圧を含む。つまり、共通電圧Ｖｃｏｍより大きいＶＧＭＡＵＰ１、ＶＧＭＡＵＰ２、ＶＧＭＡＵＰ３、．．．、ＶＧＭＡＵＰ（ｎ）を含む高ガンマ電圧群と共通電圧Ｖｃｏｍより小さいＶＧＭＡＤＮ１、ＶＧＭＡＤＮ２、ＶＧＭＡＤＮ３、．．．、ＶＧＭＡＤＮ（ｎ）を含む低ガンマ電圧群とがある。
【００２５】
この時、ガンマ電圧の個数ｎは、ソースドライバーに内蔵されたＤＡＣのデジタル入力ビット数によって異なり、製造会社の仕様によって異なる。前記入力ビット数が６ビットである場合には、高電圧群と低電圧群とは各々５個ずつのガンマ電圧を必要とする。
【００２６】
共通電圧生成部３００は、前記共通電圧制御信号に基づいて中間階調でのキックバック電圧Ｖｋの分だけ変更された共通電圧Ｖｃｏｍを生成して、液晶表示板組立体に提供する。
【００２７】
以下、本発明の１実施例によるガンマ電圧補正装置の動作について、より詳細に説明する。
【００２８】
図６に示すように、一般的なガンマ電圧生成器２２０は、電源ＡＶＤＤと接地との間に位置した複数の抵抗列を含む。ガンマ電圧ＶＧＭＡ１〜ＶＧＭＡ１０は液晶表示板組立体のデータラインに連結されているソースドライバーに供給される。ここでは、高電圧群と低電圧群とが６ビットＤＡＣに供給するための５個ずつのガンマ電圧を含む例について説明する。このようなガンマ電圧ＶＧＭＡ１〜ＶＧＭＡ１０は、ソースドライバーの仕様に応じて一定のレベルで供給されるようにセッティングされているが、本発明では、画素電圧の歪曲による残留ＤＣによる残像を除去するために、前記ガンマ電圧を再びセッティングする。
【００２９】
高電圧群に属する５個のガンマ電圧ＶＧＭＡ１〜ＶＧＭＡ５は、共通電圧Ｖｃｏｍより大きい電圧を生成するためのガンマ電圧であって、表１に示すように、各々前記電圧ＶＧＭＡＵＰ５〜ＶＧＭＡＵＰ１と一致しており、低電圧群に属する５個のガンマ電圧ＶＧＭＡ６〜ＶＧＭＡ１０は、共通電圧Ｖｃｏｍより小さい電圧を生成するためのガンマ電圧であって、表１に示すように、各々前記電圧ＶＧＭＡＤＮ１〜ＶＧＭＡＤＮ５と一致している。即ち、表示画面がノーマリーホワイトである場合、ガンマ電圧ＶＧＭＡ５、ＶＧＭＡ６は最大階調（ホワイト）のガンマ電圧を示し、ガンマ電圧ＶＧＭＡ１、ＶＧＭＡ１０は最低階調（ブラック）のガンマ電圧を示し、ガンマ電圧ＶＧＭＡ３、ＶＧＭＡ８は中間階調のガンマ電圧を示す。
【００３０】
図７は、ガンマ電圧補正前後のガンマ電圧を示したグラフであって、ガンマ電圧が、６ビットを処理するＤＡＣに供給するための階調値に基づいて示されている。本発明の実施例として、反転駆動をする場合に１０個のガンマ電圧に対する階調を表示したものである。ここで、実線は動作している液晶表示装置パネルの表示特性を示すものであり、点線はフリッカー、つまり画素電圧の歪曲（キックバック電圧）を補償して共通電圧Ｖｃｏｍとガンマ電圧とにより残留ＤＣを除去することによって得られるガンマ特性を示す。
【００３１】
【表１】
2004530171.tif 000007
残留ＤＣによる残像を除去するために、まず、液晶表示装置にバイアスされる電圧によって異なって示されるキックバック電圧Ｖｋを求める必要があるが、これは、スパイスシミュレーションまたは測定を通じて得られる。しかし、キックバック電圧Ｖｋは、画素電圧によって誘電率が変わる液晶の特性のために線形的に現れない。したがって、共通電圧Ｖｃｏｍだけでキックバック電圧を補償するのは好ましくない。共通電圧Ｖｃｏｍだけでキックバック電圧を補償すると、中間階調から一側の階調でのみキックバック電圧の補償が行われ、他側ではキックバック電圧が悪化する結果を招くためである。したがって、画素電圧に応じて（階調に応じて）ガンマ電圧を異なるように調整するのが好ましい。
【００３２】
例えば、動作中の液晶表示板組立体に供給されているガンマ電圧が表１の補正前のガンマ電圧と同じである時、ソースドライバーに供給される１０個の反転されたガンマ電圧は、図７の実線で表示される。この時、前記のように得られたキックバック電圧Ｖｋは、最低階調でＶｋ０=０．６５Ｖ、中間階調でＶｋｃ=０．７５Ｖ、最大階調でＶｋｍ=１．０２Ｖである。ここで、前記のようなキックバック電圧Ｖｋは、前記のようにＰＣＢモジュールに設けられている調整端子などを使って使用者が入力したり、液晶表示装置のケースに設けられている入力キーなどで入力することができ、アプリケーションプログラムを使用して制御機２１０が自動的に認識するようにすることもできる。
【００３３】
まず、中間階調（階調値３１）での補正前のガンマ電圧は、ＶＧＭＡ３[ＶＧＭＡＵＰ（Ｃ）]が５．９４Ｖ、ＶＧＭＡ８[ＶＧＭＡＤＮ（Ｃ）]が２．４４Ｖであり、キックバック電圧Ｖｋｃが０．７５Ｖであるので、制御機２１０は中間階調でのキックバック電圧の分だけ共通電圧を調整する共通電圧制御信号を生成し、これは、中間階調でのキックバック電圧（０．７５Ｖ）=共通電圧調整量（０．７５Ｖ）のように表すことができる。
【００３４】
このようにして、共通電圧は０．７５Ｖ小さくなり、中間階調でのガンマ電圧はＶＧＭＡ３[ＶＧＭＡＵＰ（Ｃ）]が５．９４Ｖ、ＶＧＭＡ８[ＶＧＭＡＤＮ（Ｃ）]が２．４４Ｖに維持された状態にある。
【００３５】
次に、中間階調を除いた他の階調での歪曲された画素電圧を調整するために、前記制御機２１０が中間階調を除いた他の階調のガンマ電圧を順番なく選択して、対応するガンマ電圧を変更するガンマ電圧制御信号を発生させる。つまり、中間階調でのキックバック電圧Ｖｋｃと中間階調を除いた他のガンマ電圧のうち選択された階調に対するキックバック電圧Ｖｋｔとの差が、２つの反転されたガンマ電圧ＶＧＭＡＵＰ（Ｃ）、ＶＧＭＡＤＮ（Ｃ）の合計と前記選択された階調に対応する２つの反転されたガンマ電圧ＶＧＭＡＵＰ（ｔ）、ＶＧＭＡＤＮ（ｔ）の合計との差の半分と同じである。これを式で表すと、
【００３６】
【数５】
2004530171.tif 000008
（Ｖｋｃは中間階調のキックバック電圧、Ｖｋｔは選択された階調のキックバック電圧、ＶＧＭＡＵＰ（Ｃ）とＶＧＭＡＤＮ（Ｃ）とは中間階調で反転されたガンマ電圧、ＶＧＭＡＵＰ（ｔ）とＶＧＭＡＤＮ（ｔ）とは選択された階調で反転されたガンマ電圧である）となる。
【００３７】
前記例で、最大階調でのガンマ電圧ＶＧＭＡ５（ＶＧＭＡＵＰ１）、ＶＧＭＡ６（ＶＧＭＡＤＮ１）を変更するために、制御機２１０は、中間階調でのキックバック電圧（Ｖｋｃ=０．７５Ｖ）と最大階調に対するキックバック電圧（Ｖｋｍ=１．０２Ｖ）との差（０．２７Ｖ）が、中間階調のガンマ電圧を示す２つの反転されたガンマ電圧（ＶＧＭＡ３=５．９４Ｖ、ＶＧＭＡ８=２．４４Ｖ）の合計８．３８Ｖと前記最大階調のガンマ電圧を示す２つの反転されたガンマ電圧（ＶＧＭＡ５=５．２８Ｖ、ＶＧＭＡ６=３．６４Ｖ）の合計８．９２Ｖとの差０．５４Ｖの半分になるように制御する。また、歪曲された画素電圧を調整するために、制御機２１０は、最大階調のガンマ電圧を０．２７Ｖ変更させるガンマ電圧制御信号を生成し、ガンマ電圧生成器２２０は、調整された電圧を出力するようにセッティングされている。この時、最大階調側では歪曲される電圧が最低階調側より大きく現れるため、図６と図７とに示すように、ガンマ電圧が０．２７Ｖ高く調整されなければならない。つまり、
【００３８】
【数６】
2004530171.tif 000009
のように整理することができる。
【００３９】
このようにすれば、最大階調に対するキックバック電圧１．０２Ｖに対してデータ電圧Ｖｄａｔａを０．２７Ｖ高く補正するので、最大階調での画素電圧の歪曲量は０．７５Ｖであって、中間階調での歪曲量０．７５Ｖと同じになる。ところが、前記で共通電圧Ｖｃｏｍを０．７５Ｖ小さく補正したので、結局、画素電圧の歪曲を除去した結果となる。
【００４０】
同様に、最低階調でのガンマ電圧ＶＧＭＡ１（ＶＧＭＡＵＰ５）、ＶＧＭＡ１０（ＶＧＭＡＤＮ５）を調整するために、制御機２１０は、中間階調でのキックバック電圧（Ｖｋｃ=０．７５Ｖ）と最低階調に対するキックバック電圧（Ｖｋ０=０．６５Ｖ）との差（０．１Ｖ）が、中間階調のガンマ電圧を示す２つの反転されたガンマ電圧（ＶＧＭＡ３=５．９４Ｖ、ＶＧＭＡ８=２．４４Ｖ）の合計８．３８Ｖと前記最低階調のガンマ電圧を示す２つの反転されたガンマ電圧（ＶＧＭＡ１=７．４３Ｖ、ＶＧＭＡ１０=０．７５Ｖ）の合計８．１８Ｖとの差０．２Ｖの半分になるように制御する。また、歪曲された画素電圧を調整するために、制御機２１０が最低階調のガンマ電圧を０．１Ｖ変更するガンマ電圧制御信号を生成すると、ガンマ電圧生成器２２０が調整された電圧を出力するようにセッティングされている。この時、最低階調側では歪曲される電圧が最高階調側より小さく現れるので、図６と図７とに示すように、ガンマ電圧が０．１Ｖ小さく調整されなければならない。つまり、
【００４１】
【数７】
2004530171.tif 000010
のように整理することができる。
【００４２】
このようにすれば、最低階調に対するキックバック電圧（Ｖｋ０=０．６５Ｖ）に対して０．１Ｖ小さく補正されたので、結局、最低階調での画素電圧の歪曲量は０．７５Ｖであって、中間階調での歪曲量０．７５Ｖと同じになる。ここでも、共通電圧Ｖｃｏｍを０．７５Ｖ小さく補正したので、画素電圧の歪曲を除去した結果となる。
【００４３】
結局、画素電圧の歪曲量が階調範囲の全体で同じになるので、共通電圧Ｖｃｏｍを調整したことにより、階調範囲の全体で歪曲なく画像を液晶表示装置パネルに表示することが可能になる。
【００４４】
最大階調及び最少階調を除いた他の階調でのガンマ電圧も、同じ方法で順番なく調整することにより、全てのガンマ電圧ＶＧＭＡ１〜ＶＧＭＡ１０を調整する。ここで、ガンマ電圧はランダムに調整され、ビット数に対応する全てのガンマ電圧を調整する。前記の例で、ガンマ電圧補正装置によるガンマ電圧変更前後のガンマ電圧値は、表１に示すとおりである。また、ガンマ電圧補正装置によるガンマ電圧変更前後の値を階調によるグラフで示すと図７のようになる。
【００４５】
前記例では、ノーマリーホワイト液晶表示装置と最大階調（ホワイト）でのキックバック電圧が最低階調（ブラック）でのキックバック電圧より大きい場合に対して、最大階調のガンマ電圧は高くし、最低階調のガンマ電圧は低くする補正方法を説明した。しかし、液晶の種類によって、キックバック電圧が示す大きさと方向などが異なることがある。このため、ガンマ電圧の調整は、中間階調に対して共通電圧を調整して画素電圧の歪曲が無いようにした後、中間階調より大きい階調側と中間階調より小さい側とのガンマ電圧を変更する時に、キックバック電圧が大きい側はガンマ電圧を高くし、キックバック電圧が小さい側はガンマ電圧を小さくすることを意味する。
【００４６】
前記のように、本発明の実施例では、使用者が所定の方法でディスプレイの現在画面に対する所定のキックバック電圧を入力すると、前記ガンマ電圧生成部が中間階調でのキックバック電圧の分だけ共通電圧を変更する。そして、中間階調を除いた他の階調での歪曲された画素電圧を調整するために、中間階調のガンマ電圧を除いた他のガンマ電圧を調整する。ここで、中間階調のガンマ電圧を除いた他のガンマ電圧の変更は、中間階調でのキックバック電圧と中間階調を除いた他のガンマ電圧のうち選択された階調に対するキックバック電圧との差が、中間階調のガンマ電圧を示す２つの反転されたガンマ電圧の合計と前記選択された階調に対応する２つの反転されたガンマ電圧の合計との差の半分になるようにする。これにより、表示映像の残像を最少化する。
【００４７】
以上、本発明の好ましい実施例について詳細に説明したが、本発明の権利範囲はこれに限定されず、請求の範囲で定義している本発明の基本概念を利用した当業者の多様な変形及び改良形態も本発明の権利範囲に属するものである。
【図面の簡単な説明】
【００４８】
【図１】１画素に対する一般的な等価回路図である。
【図２】ゲート電圧、データ電圧、及び画素電圧に対する一般的な波形図である。
【図３】印加電圧による一般的な液晶の誘電率を示すグラフである。
【図４】画素電圧による一般的なキックバック電圧を示すグラフである。
【図５】本発明の一実施例によるガンマ電圧補正装置を示したブロック図である。
【図６】図５に示したガンマ電圧補正装置のガンマ電圧出力部から出力されたガンマ電圧を示した図面である。
【図７】ガンマ電圧補正前後のガンマ電圧を階調電圧に対して示したグラフである。
【図１】
2004530171.tif 000013
【図２】
2004530171.tif 000014
【図３】
2004530171.tif 000015
【図４】
2004530171.tif 000016
【図５】
2004530171.tif 000017
【図６】
2004530171.tif 000018
【図７】
2004530171.tif 000019
【国際公開パンフレット】
2004530171.tif 000020
2004530171.tif 000021
2004530171.tif 000022
2004530171.tif 000023
2004530171.tif 000024
2004530171.tif 000025
2004530171.tif 000026
2004530171.tif 000027
2004530171.tif 000028
2004530171.tif 000029
2004530171.tif 000030
2004530171.tif 000031
2004530171.tif 000032
2004530171.tif 000033
2004530171.tif 000034
2004530171.tif 000035
2004530171.tif 000036
2004530171.tif 000037
2004530171.tif 000038
2004530171.tif 000039
2004530171.tif 000040
2004530171.tif 000041
2004530171.tif 000042
2004530171.tif 000043
2004530171.tif 000044
2004530171.tif 000045
【国際公開パンフレット（コレクトバージョン）】
2004530171.tif 000046
【国際調査報告】
2004530171.tif 000047
2004530171.tif 000048